(57)【特許請求の範囲】
【請求項１】
外部装置から第１の被制御装置を制御するための第１の制御信号又は他の照明制御装置により制御される第２の被制御装置を制御するための第２の制御信号を無線で受信する受信処理部と、
前記受信処理部が前記第１の制御信号又は前記第２の制御信号を受信したか判定する判定部と、
前記判定部が前記受信処理部が前記第１の制御信号を受信したと判定した場合、前記第１の制御信号に従って前記第１の被制御装置を制御する制御処理部と、
前記判定部が前記受信処理部が前記第２の制御信号を受信したと判定した場合、前記第２の制御信号を前記他の照明制御装置へ有線で送信する第１の送信処理部と、
を備える照明制御装置。
【請求項２】
前記判定部は、制御対象の対象となる被制御装置を示す装置情報を前記第１の制御信号又は前記第２の制御信号から抽出し、前記装置情報が示す被制御装置が前記第１の被制御装置に含まれる場合に、前記受信処理部が前記第１の制御信号を受信したと判定する、
前記請求項１に記載の照明制御装置。
【請求項３】
前記第１の被制御装置と接続する通信部と、
前記通信部に前記第１の被制御装置が接続されていない場合に、前記第２の制御信号を前記他の照明制御装置へ送信するトンネルモードに設定するモード設定部と、
を備える、
前記請求項１又は２に記載の照明制御装置。
【請求項４】
前記トンネルモードは、前記通信部、又は、前記判定部を停止する、
前記請求項３に記載の照明制御装置。
【請求項５】
前記他の照明制御装置から受信される制御信号を前記外部装置へ送信する第２の送信処理部を備える、
前記請求項１乃至４の何れか１項に記載の照明制御装置。
【請求項６】
前記第１の被制御装置又は前記第２の被制御装置の少なくとも１つは、照明器具である、
前記請求項１乃至５の何れか１項に記載の照明制御装置。
【請求項７】
第１の照明制御装置と第２の照明制御装置とを備える照明システムであって、
前記第１の照明制御装置は、
外部装置から第１の被制御装置を制御するための第１の制御信号又は前記第２の照明制御装置により制御される第２の被制御装置を制御するための第２の制御信号を無線で受信する受信処理部と、
前記受信処理部が前記第１の制御信号又は前記第２の制御信号を受信したか判定する判定部と、
前記判定部が前記受信処理部が前記第１の制御信号を受信したと判定した場合、前記第１の制御信号に従って前記第１の被制御装置を制御する制御処理部と、
前記判定部が前記受信処理部が前記第２の制御信号を受信したと判定した場合、前記第２の制御信号を前記第２の照明制御装置へ有線で送信する第１の送信処理部と、
を備え、
前記第２の照明制御装置は、前記第１の送信処理部が送信する前記第２の制御信号に基づいて前記第２の被制御装置を制御する、
照明システム。
【発明の詳細な説明】
【技術分野】
【０００１】
本発明の実施形態は、照明制御装置、及び、照明システムに関する。
【背景技術】
【０００２】
照明制御装置には、タブレットなどから無線で制御信号を受信し、照明器具又はセンサなどの装置を制御するものがある。照明制御装置は、自己の子機として自己に接続する装置を制御する。
【先行技術文献】
【特許文献】
【０００３】
【特許文献１】特開２０１３−２０１０８７号公報
【発明の概要】
【発明が解決しようとする課題】
【０００４】
上記の課題を解決するために、効果的に装置を制御することができる照明制御装置、及び、照明システムを提供する。
【課題を解決するための手段】
【０００５】
実施形態によれば、照明制御装置は、受信処理部と、判定部と、制御処理部と、第１の送信処理部と、を備える。受信処理部は、外部装置から第１の被制御装置を制御するための第１の制御信号又は他の照明制御装置により制御される第２の被制御装置を制御するための第２の制御信号を無線で受信する。判定部は、前記受信処理部が前記第１の制御信号又は前記第２の制御信号を受信したか判定する。制御処理部は、前記判定部が前記受信処理部が前記第１の制御信号を受信したと判定した場合、前記第１の制御信号に従って前記第１の被制御装置を制御する。第１の送信処理部は、前記判定部が前記受信処理部が前記第２の制御信号を受信したと判定した場合、前記第２の制御信号を前記他の照明制御装置へ有線で送信する。
【発明の効果】
【０００６】
この発明によれば、効果的に装置を制御することができる照明制御装置、及び、照明システムを提供することができる。
【図面の簡単な説明】
【０００７】
【図１】図１は、実施形態に係る照明システムの構成例を示す図である。
【図２】図２は、実施形態に係る照明制御装置の構成例を示す図である。
【図３】図３は、実施形態に係る照明制御装置の動作例を示すフローチャートである。
【図４】図４は、実施形態に係る照明制御装置の動作例を示すフローチャートである。
【発明を実施するための形態】
【０００８】
以下、実施の形態について図面を参照して説明する。  
以下で説明する実施形態に係る照明制御装置（３０）は、受信処理部（５１）と、判定部（５１）と、制御処理部（５１）と、第１の送信処理部（５１）と、を備える。受信処理部は、外部装置（４１及び４２）から第１の被制御装置（３１及び３２）を制御するための第１の制御信号又は他の照明制御装置（２０）により制御される第２の被制御装置（２１乃至２３）を制御するための第２の制御信号を無線で受信する。判定部は、前記受信処理部が前記第１の制御信号又は前記第２の制御信号を受信したか判定する。制御処理部は、前記判定部が前記受信処理部が前記第１の制御信号を受信したと判定した場合、前記第１の制御信号に従って前記第１の被制御装置を制御する。第１の送信処理部は、前記判定部が前記受信処理部が前記第２の制御信号を受信したと判定した場合、前記第２の制御信号を前記他の照明制御装置へ有線で送信する。
【０００９】
以下で説明する実施形態に係る前記判定部は、制御対象の対象となる被制御装置を示す装置情報を前記第１の制御信号又は前記第２の制御信号から抽出し、前記装置情報が示す被制御装置が前記第１の被制御装置に含まれる場合に、前記受信処理部が前記第１の制御信号を受信したと判定する。
【００１０】
以下で説明する実施形態に係る照明制御装置は、通信部（５４）と、モード設定部（５１）と、を備える。通信部は、前記第１の被制御装置と接続する。モード設定部は、前記通信部に前記第１の被制御装置が接続されていない場合に、前記第２の制御信号を前記他の照明制御装置へ送信するトンネルモードに設定する。
【００１１】
以下で説明する実施形態に係る前記トンネルモードは、前記通信部、又は、前記判定部を停止する。
【００１２】
以下で説明する実施形態に係る照明制御装置は、第２の送信処理部（５１）を備える。第２の送信処理部は、前記他の照明制御装置から受信される制御信号を前記外部装置へ送信する。
【００１３】
以下で説明する実施形態に係る前記第１の被制御装置又は前記第２の被制御装置の少なくとも１つは、照明器具である。
【００１４】
以下で説明する実施形態に係る照明システム（１）は、第１の照明制御装置（３０）と第２の照明制御装置（２０）とを備える。前記第１の照明制御装置は、受信処理部（５１）と、判定部（５１）と、制御処理部（５１）と、第１の送信処理部（５１）と、を備える。受信処理部は、外部装置（４１又は４２）から第１の被制御装置（３１及び３２）を制御するための第１の制御信号、又は前記第２の照明制御装置により制御される第２の被制御装置（２１乃至２３）を制御するための第２の制御信号を無線で受信する。判定部は、前記受信処理部が前記第１の制御信号又は前記第２の制御信号を受信したか判定する。制御処理部は、前記判定部が前記受信処理部が前記第１の制御信号を受信したと判定した場合、前記第１の制御信号に従って前記第１の被制御装置を制御する。第１の送信処理部は、前記判定部が前記受信処理部が前記第２の制御信号を受信したと判定した場合、前記第２の制御信号を前記第２の照明制御装置へ有線で送信する。前記第２の照明制御装置は、前記第１の送信処理部が送信する前記第２の制御信号に基づいて前記第２の被制御装置を制御する。
【００１５】
図１は、実施形態に係る照明システム１の構成例を示す図である。  
照明システム１は、照明器具及びセンサなどを制御するシステムである。たとえば、照明システム１は、センサなどから信号又は外部装置からの信号に基づいて、照明器具を制御する。たとえば、照明システム１は、照明器具をオン若しくはオフにし、又は、照明器具を調光する。照明システム１は、たとえば、住宅、オフィス又は商業施設などに設置される。
【００１６】
図１が示すように、照明システム１は、ハブ１０、照明制御装置２０、照明器具２１並びに２２、センサ２３、照明制御装置３０、照明器具３１、センサ３２、パソコン４１及びタブレット４２などを備える。ハブ１０は、照明制御装置２０、照明制御装置３０及びパソコン４１と有線で接続する。また、照明制御装置２０は、照明器具２１並びに２２及びセンサ２３を接続する。また、照明制御装置３０は、照明器具３１及びセンサ３２に接続する。また、照明制御装置３０は、パソコン４１及びタブレット４２と無線で接続する。
【００１７】
ハブ１０は、照明制御装置２０、照明制御装置３０及びパソコン４１が互いに送受信するデータを中継する。即ち、ハブ１０は、ハブ１０に接続される機器（ここでは、照明制御装置２０、照明制御装置３０及びパソコン４１）の１つが送信するデータを他の機器に送信する。ハブ１０は、たとえば、有線ＬＡＮをサポートするものであってもよい。
【００１８】
照明制御装置２０は、照明制御装置２０が制御する被制御装置（第２の被制御装置）として、照明器具２１並びに２２及びセンサ２３を制御する。たとえば、照明制御装置２０は、センサ２３からの信号に基づいて照明器具２１及び２２を制御する。即ち、照明制御装置２０は、センサ２３からの信号に基づいて、照明器具２１及び２２をオン／オフ制御し、又は、調光する。
【００１９】
また、照明制御装置２０は、ハブ１０からの制御信号に基づいて照明器具２１並びに２２及びセンサ２３を制御する。即ち、照明制御装置２０は、照明制御装置３０又はパソコン４１からの制御信号に基づいて照明器具２１並びに２２及びセンサ２３を制御する。
【００２０】
たとえば、照明制御装置２０は、所定の照明器具（たとえば、照明器具２１）をオンにさせる制御信号を照明制御装置３０からハブ１０を介して受信する。当該制御信号を受信すると、照明制御装置３０は、当該制御信号に従って所定の照明器具をオンにする制御を行う。たとえば、照明制御装置３０は、所定の照明器具に、照明をオンにさせる制御信号を送信する。
【００２１】
また、照明制御装置２０は、所定の照明器具（たとえば、照明器具２１）を調光する制御信号を照明制御装置３０からハブ１０を介して受信する。当該制御信号を受信すると、照明制御装置３０は、当該制御信号に従って所定の照明器具を調光する制御を行う。たとえば、照明制御装置３０は、所定の照明器具に、所定の光量で発光させる制御信号を送信する。
【００２２】
また、照明制御装置２０は、被制御装置からの制御信号をハブ１０を介して照明制御装置３０へ送信する。たとえば、照明制御装置２０は、センサ２３からの制御信号をハブ１０へ送信する。
【００２３】
照明器具２１は、照明制御装置２０からの制御信号に基づいて発光する。  
照明器具２１は、たとえば、制御部及び照明負荷などを備える。制御部は、照明制御装置２０からの制御信号に応じて照明負荷に電力を供給する制御を行う。即ち、制御部は、照明制御装置２０からの制御信号に基づいて、照明負荷に電力を供給し、又は、供給する電力を調整する。照明負荷は、供給される電力に応じて発光する。たとえば、照明負荷は、発光ダイオード、蛍光灯、又は、白熱電球などである。なお、照明器具２１の照明負荷は、特定の構成に限定されるものではない。また、照明器具２１は、複数の照明負荷を備えてもよい。照明器具２１が備える照明負荷の個数は、特定の個数に限定されるものではない。
【００２４】
照明器具２２及び３１は、照明器具２１と同様の構成であるため説明を省略する。なお、照明器具３１は、照明制御装置３０からの制御信号に基づいて発光する。  
センサ２３は、照明制御に必要なパラメータを検出する。センサ２３は、検出されたパラメータを示す制御信号を照明制御装置２０に送信する。
【００２５】
たとえば、センサ２３は、人感センサである。人感センサとしてのセンサ２３は、所定の領域内の人を検知する。たとえば、センサ２３は、照明器具２１又は２２が照らす領域内の人を検知する。センサ２３は、所定の領域内に人を検知すると、人を検知したことを示す制御信号を照明制御装置２０へ送信する。なお、センサ２３は、所定の領域内から人が退去したことを検知すると、人が退去したことを示す制御信号を照明制御装置２０へ送信してもよい。
【００２６】
また、センサ２３は、照度センサであってもよい。照度センサとしてのセンサ２３は、所定の領域において照度を検知する。たとえば、センサ２３は、照明器具２１又は２２が照らす領域において照度を検知する。また、センサ２３は、照明器具２１又は２２が照らす領域の周辺において照度を検知してもよい。たとえば、センサ２３は、照明器具２１又は２２が照らす部屋の外の照度を検知してもよい。センサ２３は、検知した照度を示す制御信号を照明制御装置２０へ送信する。
【００２７】
なお、センサ２３は、他のパラメータを検知するものであってもよい。センサ２３の構成は、特定の構成に限定されるものではない。  
また、センサ３２は、センサ２３と同様の構成であるため説明を省略する。なお、センサ３２は、検知されたパラメータを照明制御装置３０へ送信する。
【００２８】
照明制御装置３０は、照明制御装置３０が制御する被制御装置（第１の被制御装置）として、照明器具３１及びセンサ３２を制御する。また、照明制御装置２０は、外部装置（たとえば、パソコン４１又はタブレット４２）からの制御信号に基づいて照明器具３１及びセンサ３２を制御する。照明制御装置３０については、後に詳述する。
【００２９】
パソコン４１は、照明制御装置２０及び３０へそれぞれの被制御装置を制御するための制御信号を送信する。たとえば、パソコン４１は、操作者などからの操作に基づいて制御信号を照明制御装置２０又は３０へ送信する。たとえば、パソコン４１は、ハブ１０を通じて照明制御装置２０の被制御装置を制御するための制御信号を照明制御装置２０へ送信する。また、パソコン４１は、無線通信を用いて照明制御装置２０又は３０の被制御装置を制御するための制御信号を照明制御装置３０へ送信する。なお、パソコン４１は、無線ＬＡＮを介して照明制御装置３０とデータ（たとえば、制御信号）を送受信してもよい。
【００３０】
タブレット４２は、照明制御装置３０へ照明制御装置２０又は３０の被制御装置を制御するための制御信号を送信する。たとえば、タブレット４２は、操作者などからの操作に基づいて無線で制御信号を照明制御装置３０へ送信する。たとえば、タブレット４２は、無線ＬＡＮを介して照明制御装置３０とデータ（たとえば、制御信号）を送受信する。
【００３１】
被制御装置を制御するための制御信号は、制御の対象となる装置（たとえば、照明器具２１又は３１など）を識別する装置情報を格納する。たとえば、当該制御信号は、装置情報として、制御の対象となる装置を示すビット列などを格納する。また、当該制御信号は、制御の対象となる装置を制御する照明制御装置（たとえば、照明制御装置２０又は３０）を示す照明制御装置情報を格納してもよい。たとえば、当該制御信号は、照明制御装置情報として照明制御装置を示すビット列などを格納する。
【００３２】
なお、照明システム１は、図１が示すような構成の他に必要に応じた構成を具備したり、特定の構成を除外したりしてもよい。  
たとえば、照明システム１は、センサ２３又はセンサ３２を備えなくともよい。また、照明システム１は、照明制御装置２０の被制御装置として１つの照明器具を備えてもよい。また、照明システム１は、照明制御装置２０の被制御装置として３つ以上の照明器具を備えてもよい。また、照明システム１は、照明制御装置３０の被制御装置として２つ以上の照明器具を備えてもよい。また、照明システム１は、照明制御装置２０又は３０の被制御装置として他の装置を備えてもよい。
【００３３】
次に、照明制御装置３０について説明する。  
図２は、照明制御装置３０の構成例を示す図である。  
図２が示すように、照明制御装置３０は、ＣＰＵ５１、メモリ５２、第１のインターフェース５３、第２のインターフェース５４（通信部）及び第３のインターフェース５５などを備える。
【００３４】
ＣＰＵ５１は、照明制御装置３０全体の動作を制御する機能を有する。ＣＰＵ５１は、内部キャッシュおよび各種のインターフェースなどを備えても良い。ＣＰＵ５１は、内部メモリ又はメモリ５２に予め記憶したプログラムを実行することにより種々の処理を実現する。ＣＰＵ５１は、たとえば、プロセッサである。
【００３５】
なお、ＣＰＵ５１がプログラムを実行することにより実現する各種の機能のうちの一部は、ハードウエア回路により実現されるものであっても良い。この場合、ＣＰＵ５１は、ハードウエア回路により実行される機能を制御する。
【００３６】
メモリ５２は、揮発性メモリ及び不揮発性メモリなどから構成される。たとえば、メモリ５２は、予め制御用のプログラム及び制御データなどを格納する。また、メモリ５２は、ＣＰＵ５１の処理中のデータなどを一時的に格納する。たとえば、メモリ５２は、ＣＰＵ５１からの命令に基づき種々の実行中のアプリケーションプログラムを格納する。また、メモリ５２は、アプリケーションプログラムの実行に必要なデータ及びアプリケーションプログラムの実行結果などを格納してもよい。
【００３７】
第１のインターフェース５３は、無線で外部装置（たとえば、パソコン４１又はタブレット４２）とデータを送受信するためのインターフェースである。たとえば、ＣＰＵ５１は、第１のインターフェース５３を通じて制御信号をパソコン４１又はタブレット４２から受信する。第１のインターフェース５３は、たとえば、無線ＬＡＮ接続をサポートするものであってもよい。
【００３８】
第２のインターフェース５４は、照明制御装置３０の被制御装置（たとえば、照明器具３１又はセンサ３２）とデータを送受信するためのインターフェースである。たとえば、ＣＰＵ５１は、第２のインターフェース５４を通じて制御信号を被制御装置に送信する。第２のインターフェース５４は、たとえば、９２０Ｇｈｚ帯を用いる無線通信をサポートする。なお、第２のインターフェース５４は、有線通信をサポートするものであってもよい。
【００３９】
第３のインターフェース５５は、有線でハブ１０を介して照明制御装置２０とデータを送受信するためのインターフェースである。たとえば、ＣＰＵ５１は、第３のインターフェース５５を通じて制御信号を照明制御装置２０へ送信する。第３のインターフェース５５は、たとえば、有線ＬＡＮ接続をサポートするものであってもよい。  
なお、照明制御装置３０は、図２が示すような構成の他に必要に応じた構成を具備してもよい。
【００４０】
次に、ＣＰＵ５１が実現する機能について説明する。  
ＣＰＵ５１は、第１のインターフェース５３を通じて照明制御装置２０又は３０の被制御装置を制御するための制御信号を受信する機能を有する（受信処理部）。即ち、ＣＰＵ５１は、パソコン４１又はタブレット４２から被制御装置を制御するための制御信号を受信する。制御信号は、照明制御装置２０の被制御装置（たとえば、照明器具２１若しくは２２又はセンサ２３）又は照明制御装置３０の被制御装置（たとえば、照明器具３１又はセンサ３２）を制御するための信号である。
【００４１】
また、ＣＰＵ５１は、受信された制御信号が自身の被制御装置を制御する制御信号又は他の照明制御装置の被制御装置を制御する制御信号であるかを判定する機能を有する（判定部）。  
たとえば、ＣＰＵ５１は、受信された制御信号から装置情報を抽出する。ＣＰＵ５１は、抽出された装置情報が示す被制御装置が自身が制御する被制御装置に含まれるか判定する。
【００４２】
たとえば、ＣＰＵ５１は、装置情報が示す被制御装置が第２のインターフェース５４に接続されているか判定する。抽出された装置情報が示す被制御装置が第２のインターフェース５４に接続されていると判定すると、ＣＰＵ５１は、制御信号が制御する被制御装置が自身が制御する被制御装置に含まれると判定する。また、抽出された装置情報が示す被制御装置が第２のインターフェース５４に接続されていないと判定すると、ＣＰＵ５１は、制御信号が制御する被制御装置が自身が制御する被制御装置に含まれないと判定する。
【００４３】
抽出された装置情報が示す被制御装置が自身が制御する被制御装置に含まれると判定した場合、ＣＰＵ５１は、受信された制御信号が自身の被制御装置を制御する制御信号であると判定する。また、抽出された装置情報が示す被制御装置が自身が制御する被制御装置に含まないと判定した場合、ＣＰＵ５１は、受信された制御信号が他の照明制御装置の被制御装置を制御する制御信号であると判定する。
【００４４】
なお、ＣＰＵ５１は、受信された制御信号から照明制御装置情報を抽出してもよい。たとえば、ＣＰＵ５１は、抽出された照明制御装置情報が示す照明制御装置が自身であるかを判定してもよい。
【００４５】
また、ＣＰＵ５１は、制御信号が自身が制御する被制御装置を制御するものであると判定した場合、当該制御信号に従って被制御装置を制御する機能を有する（制御処理部）。即ち、ＣＰＵ５１は、制御信号が制御対象とする被制御装置に、当該制御信号が求める制御を行うための信号を送信する。  
たとえば、制御信号が照明器具２１をオンにする場合、ＣＰＵ５１は、第２のインターフェース５４を通じて、照明器具２１に、照明をオンにさせる制御信号を送信する。
【００４６】
また、ＣＰＵ５１は、制御信号が自身の被制御装置を制御するものでないと判定した場合、当該制御信号を他の照明制御装置（たとえば、照明制御装置２０）へ送信する機能を有する（第１の送信処理部）。
【００４７】
たとえば、ＣＰＵ５１は、制御信号を有線送信用の信号に変換する。ＣＰＵ５１は、第３のインターフェース５５を通じて、変換された制御信号をハブ１０に送信する。即ち、ＣＰＵ５１は、ハブ１０を通じて、変換された制御信号を照明制御装置２０へ送信する。  
ここでは、以上の機能を実行する動作モードを通常モードとする。
【００４８】
また、ＣＰＵ５１は、第２のインターフェース５４に被制御装置が接続しない場合に、第１のインターフェース５３を通じて受信される制御信号を照明制御装置２０に送信するトンネルモードを設定する機能を有する（モード設定部）。
【００４９】
ＣＰＵ５１は、第２のインターフェース５４に被制御装置が接続されるかを判定する。第２のインターフェース５４に被制御装置が接続されていないと判定した場合、ＣＰＵ５１は、トンネルモードに設定する。
【００５０】
トンネルモードは、パソコン４１又はタブレット４２からの制御信号を照明制御装置２０に送信する動作モードである。即ち、トンネルモードは、第１のインターフェースが受信する制御信号をハブ１０へトンネルする動作モードである。たとえば、ＣＰＵ５１は、トンネルモードを設定すると、第１のインターフェースを通じて受信した制御信号を有線信号に変換して第３のインターフェースを通じてハブ１０へ送信する。
【００５１】
また、トンネルモードは、被制御装置の制御に必要な機能の少なくとも一部を停止するものであってもよい。たとえば、トンネルモードは、第２のインターフェース５４を通じての通信機能を停止する。また、トンネルモードは、被制御装置を制御するための制御信号が自身が制御する被制御装置を制御するものであるかを判定する機能を停止するものであってもよい。  
即ち、ＣＰＵ５１は、トンネルモードを設定すると、被制御装置の制御に必要な機能の少なくとも一部を停止する。
【００５２】
また、ＣＰＵ５１は、動作モードに関わらず、照明制御装置２０から受信される制御信号を第１のインターフェース５３を通じてパソコン４１又はタブレット４２へ送信する機能を有する（第２の送信処理部）。  
たとえば、ＣＰＵ５１は、ハブ１０を通じて当該制御信号を受信する。ＣＰＵ５１は、当該制御信号を無線通信用に信号に変換して、第１のインターフェース５３を通じてパソコン４１又はタブレット４２へ送信する。
【００５３】
次に、ＣＰＵ５１の動作例について説明する。  
まず、ＣＰＵ５１が動作モードを設定する動作例について説明する。  
図３は、ＣＰＵ５１が動作モードを設定する動作例を説明するためのフローチャートである。
【００５４】
まず、ＣＰＵ５１は、第２のインターフェース５４に被制御装置が接続されているか判定する（Ｓ１１）。  
第２のインターフェース５４に被制御装置が接続されていると判定すると（Ｓ１１、ＹＥＳ）、ＣＰＵ５１は、動作モードとして通常モードを設定する（Ｓ１２）。
【００５５】
第２のインターフェース５４に被制御装置が接続されていないと判定すると（Ｓ１１、ＮＯ）、ＣＰＵ５１は、動作モードとしてトンネルモードを設定する（Ｓ１３）。  
動作モードとして通常モードを設定した場合、又は、動作モードとしてトンネルモードを設定した場合、ＣＰＵ５１は、動作を終了する。  
たとえば、ＣＰＵ５１は、照明制御装置３０の起動時などにおいて動作モードを設定する動作を実行する。
【００５６】
次に、ＣＰＵ５１が通常モードで動作する場合の動作例について説明する。  
図４は、ＣＰＵ５１が通常モードで動作する場合の動作例について説明するためのフローチャートである。  
まず、ＣＰＵ５１は、第１のインターフェース５３を通じて、被制御装置を制御するための制御信号を受信したか判定する（Ｓ２１）。被制御装置を制御するための制御信号を受信していないと判定すると（Ｓ２１、ＮＯ）、ＣＰＵ５１は、Ｓ２１に戻る。
【００５７】
被制御装置を制御するための制御信号を受信したと判定すると（Ｓ２１、ＹＥＳ）、ＣＰＵ５１は、当該制御信号が制御対象としている被制御装置が第２のインターフェース５４に接続されているか判定する（Ｓ２２）。
【００５８】
当該制御信号が制御対象としている被制御装置が第２のインターフェース５４に接続されていると判定すると（Ｓ２２、ＹＥＳ）、ＣＰＵ５１は、当該制御信号に従って当該被制御装置を制御する（Ｓ２３）。
【００５９】
当該制御信号が制御対象としている被制御装置が第２のインターフェース５４に接続されていないと判定すると（Ｓ２２、ＮＯ）、ＣＰＵ５１は、第３のインターフェース５５を通じて当該制御信号を他の照明制御装置へ送信する（Ｓ２４）。
【００６０】
当該制御信号に従って当該被制御装置を制御した場合、又は、第３のインターフェース５５を通じて当該制御信号を他の照明制御装置へ送信した場合、ＣＰＵ５１は、動作を終了する。
【００６１】
なお、ＣＰＵ５１は、当該制御信号が制御対象としている被制御装置が第２のインターフェース５４に接続されていると判定した場合であっても、第３のインターフェース５５を通じて当該制御信号を他の照明制御装置へ送信してもよい。
【００６２】
以上のように構成された照明システムは、外部装置と無線通信する照明制御装置が当該外部装置から受信した制御信号を他の照明制御装置に送信する。そのため、照明システムは、当該外部装置と無線通信するための設備を追加して設けることなく、他の照明制御装置に当該外部装置からの制御信号を送信することができる。従って、照明システムは、外部装置からの信号に基づいて他の照明装置の被制御装置を制御する。その結果、照明システムは、効果的に被制御装置を制御することができる。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１…照明システム、１０…ハブ、２０…照明制御装置、２１及び２２…照明器具、２３…センサ、３０…照明制御装置、３１…照明器具、３２…センサ、４１…パソコン、４２…タブレット、５１…ＣＰＵ、５２…メモリ、５３…第１のインターフェース、５４…第２のインターフェース、５５…第３のインターフェース。
【図１】
0006642181.tif 000002
【図２】
0006642181.tif 000003
【図３】
0006642181.tif 000004
【図４】
0006642181.tif 000005